(57)【要約】【課題】  ＯＣＢ液晶表示素子によって表示される映像の品質を向上させることができる液晶表示装置を提供する。【解決手段】  液晶表示装置は、ＯＣＢ液晶表示素子と、転移電圧をＯＣＢ液晶表示素子に印加するために設けられた転移電圧印加手段と、転移電圧印加手段へ電圧を供給する電源とを具備しており、転移電圧印加手段によって印加される転移電圧は、第１極性を有する直流の第１極性直流電圧２と第１極性とは逆の第２極性を有する直流の第２極性直流電圧３とを含んでおり、転移電圧印加手段は、第１転移期間４においては第１極性直流電圧２をＯＣＢ液晶表示素子に印加し、第２転移期間５においては第２極性直流電圧３をＯＣＢ液晶表示素子に印加する。【選択図】  図４
2005234375.tif 000002
【特許請求の範囲】
【請求項１】
映像を表示するために設けられたＯＣＢ（Ｏｐｔｉｃａｌｌｙ  Ｃｏｍｐｅｎｓａｔｅｄ  Ｂｅｎｄ）液晶と、
前記ＯＣＢ液晶表示素子の配向状態をスプレイ配向状態からベンド配向状態へ転移させるための転移電圧を前記ＯＣＢ液晶表示素子に印加するために設けられた転移電圧印加手段と、
前記ＯＣＢ液晶表示素子に電圧を供給する電源とを具備しており、
前記転移電圧印加手段は、所定の第１転移期間と前記第１転移期間に後続する第２転移期間とにおいて前記転移電圧を印加し、
前記ＯＣＢ液晶表示素子は、前記第１転移期間と前記第２転移期間との間の第１映像表示期間と前記第２転移期間に後続する第２映像表示期間とにおいて前記映像を表示し、
前記電源は、前記第１転移期間と前記第１映像表示期間と前記第２転移期間と前記第２映像表示期間とにおいてオンになっており、前記第１映像表示期間の後であって前記第２転移期間の前における停止期間においてオフになっており、
前記転移電圧印加手段によって印加される前記転移電圧は、第１極性を有する直流の第１極性直流電圧と前記第１極性とは逆の第２極性を有する直流の第２極性直流電圧とを含んでおり、
前記転移電圧印加手段は、前記第１転移期間においては前記第１極性直流電圧を前記ＯＣＢ液晶表示素子に印加し、前記第２転移期間においては前記第２極性直流電圧を前記ＯＣＢ液晶表示素子に印加することを特徴とする液晶表示装置。
【請求項２】
前記ＯＣＢ液晶表示素子へ信号電圧を印加するために設けられた画素電極と、
前記ＯＣＢ液晶表示素子を挟んで前記画素電極と対向するように設けられた対向電極とをさらに具備しており、
前記転移電圧印加手段は、前記対向電極へ前記転移電圧を印加する、請求項１記載の液晶表示装置。
【請求項３】
前記第１極性直流電圧の絶対値および前記第２極性直流電圧の絶対値は、１５Ｖ以上３０Ｖ以下である、請求項１記載の液晶表示装置。
【請求項４】
前記第１および前記第２転移期間において前記第１および前記第２極性直流電圧を前記転移電圧印加手段がそれぞれ印加する時間は、約０．３秒以上約２秒以下である、請求項１記載の液晶表示装置。
【請求項５】
前記第１および前記第２転移期間において前記第１および前記第２極性直流電圧を前記転移電圧印加手段がそれぞれ印加する時間は、約０．５秒である、請求項１記載の液晶表示装置。
【請求項６】
前記ＯＣＢ液晶表示素子に印加する前記転移電圧の極性を記憶する転移電圧極性記憶手段をさらに具備する、請求項１記載の液晶表示装置。
【請求項７】
前記転移電圧印加手段は、前記第１転移期間の前に配置された第１リセット期間と前記停止期間の後であって前記第２転移期間の前に配置された第２リセット期間とにおいて前記ＯＣＢ液晶表示素子の配向状態をリセットするためのリセット電圧を印加する、請求項１記載の液晶表示装置。
【請求項８】
前記リセット電圧は、液晶層に印加される電圧が実質的に零ボルトである、請求項７記載の液晶表示装置。
【請求項９】
前記転移電圧印加手段が前記第１リセット期間と前記第２リセット期間とにおいて前記リセット電圧をそれぞれ印加する時間は、約０．４秒である、請求項７記載の液晶表示装置。
【請求項１０】
前記映像におけるフリッカーを補正するためのフリッカー補正電圧を前記ＯＣＢ液晶表示素子に印加するために設けられたフリッカー補正手段をさらに具備しており、
前記フリッカー補正手段は、前記第１映像表示期間において前記第１極性直流電圧とは逆の特性を有するフリッカー補正電圧を印加し、前記第２映像表示期間において前記第２極性直流電圧とは逆の特性を有するフリッカー補正電圧を印加する、請求項１記載の液晶表示装置。
【請求項１１】
前記ＯＣＢ液晶表示素子へ信号電圧を印加するために設けられた画素電極と、
前記ＯＣＢ液晶表示素子を挟んで前記画素電極と対向するように設けられた対向電極とをさらに具備しており、
前記フリッカー補正手段は、前記対向電極に前記フリッカー補正電圧を印加する、請求項１０記載の液晶表示装置。
【請求項１２】
前記フリッカー補正手段によって印加される前記フリッカー補正電圧の絶対値は、前記転移電圧印加手段によって印加される前記転移電圧の絶対値よりも十分小さくなっている、請求項１０記載の液晶表示装置。
【請求項１３】
前記フリッカー補正手段によって印加される前記フリッカー補正電圧の絶対値は、１ボルト以下になっている、請求項１０記載の液晶表示装置。
【請求項１４】
前記フリッカー補正手段によって印加される前記フリッカー補正電圧の絶対値は、０．５ボルト以下になっている、請求項１０記載の液晶表示装置。
【請求項１５】
前記フリッカー補正手段が前記フリッカー補正電圧を印加する時間は、１０秒以上になっている、請求項１０記載の液晶表示装置。
【請求項１６】
前記フリッカー補正手段によって印加される前記フリッカー補正電圧の絶対値は、時間の経過に従って減少するようになっている、請求項１０記載の液晶表示装置。
【発明の詳細な説明】
【技術分野】
【０００１】
本発明は、ＯＣＢ（Ｏｐｔｉｃａｌｌｙ  Ｃｏｍｐｅｎｓａｔｅｄ  Ｂｅｎｄ）液晶表示素子によって映像を表示する液晶表示装置に関する。
【背景技術】
【０００２】
ＯＣＢ液晶表示素子によって映像を表示するためには、ＯＣＢ液晶表示素子の配向状態をスプレイ配向状態からベンド配向状態へ転移させる必要がある。ＯＣＢ液晶表示素子の配向状態をスプレイ配向状態からベンド配向状態へ転移させるために、ＯＣＢ液晶表示素子を通常駆動するときに印加する駆動電圧とは異なる転移電圧をＯＣＢ液晶表示素子に印加する。
【０００３】
特開平９−１８５０３２号公報には、ＯＣＢ液晶表示素子の配向状態をスプレイ配向状態からベンド配向状態へ転移させるための転移電圧を交流電圧とする技術が開示されている。しかしながら、転移電圧を交流電圧とすると、ＯＣＢ液晶表示素子の配向状態がスプレイ配向状態からベンド配向状態へ完全に転移しないおそれがあるという問題がある。そこで、転移電圧を直流電圧とする技術が考えられる。
【０００４】
図７は、従来の液晶表示装置９０の構成を示すブロック図である。液晶表示装置９０は、ＬＣＤパネル４１を備えている。ＬＣＤパネル４１には、映像を表示するために設けられたＯＣＢ液晶表示素子が配置されている。
【０００５】
液晶表示装置９０は、ＬＣＤパネル４１に配置されたＯＣＢ液晶表示素子を駆動するために設けられたソースドライバ３８、ゲートドライバ３９および対向電圧印加手段４０を備えている。
【０００６】
図８は、従来の液晶表示装置９０のＬＣＤパネル４１に設けられたＯＣＢ液晶表示素子の配向状態を説明するための模式断面図である。ＯＣＢ液晶表示素子によって映像を表示するためには、図８に示すように、ＯＣＢ液晶表示素子の配向状態をスプレイ配向状態からベンド配向状態へ転移させる必要がある。
【０００７】
液晶表示装置９０は、転移電圧印加器９７を備えている。転移電圧印加器９７は、ＯＣＢ液晶表示素子の配向状態をスプレイ配向状態からベンド配向状態へ転移させるための転移電圧をＯＣＢ液晶表示素子に印加するために設けられている。
【０００８】
図９は、従来の液晶表示装置９０の動作を示す波形図である。まず、装置の電源が投入されると、配向をベンド配向とするために転移動作を開始させる。まず電源がオンになると、転移電圧印加器９７は、リセット期間１８の間、リセット電圧をＯＣＢ液晶表示素子に印加した後、転移期間５の間、ＯＣＢ液晶表示素子の配向状態をスプレイ配向状態からベンド配向状態へ転移させるための転移電圧９２を印加させる。このとき対向電極に所定の転移電圧を印加させ、ソースドライバ３８、ゲートドライバ３９には所定の転移核を形成させる所定電圧を印加させる。転移電圧印加器９７によって印加される転移電圧９２は、正の極性を有する直流電圧である。そして、ＯＣＢ液晶表示素子は、転移期間５に後続する映像表示期間８の間、映像を表示する。この映像表示期間とは、通常、電源がオフされるまでの期間である。
【０００９】
次に、電源がオフとなったとする。そして次に液晶表示装置を再び使用する際に、電源が再びオンされると、転移電圧印加器９７は、リセット期間１８の間、リセット電圧をＯＣＢ液晶表示素子に印加した後、転移期間５の間、転移電圧９２をＯＣＢ液晶表示素子に印加する。転移電圧印加器９７によって印加される転移電圧９２は、このときも正の極性を有する直流電圧である。そして、ＯＣＢ液晶表示素子は、転移期間５に後続する映像表示期間８の間、映像を表示する。
【００１０】
このように転移電圧を直流電圧とすると、ＯＣＢ液晶表示素子の配向状態がスプレイ配向状態からベンド配向状態へ転移する転移性が向上するという効果を得ることができる。
【特許文献１】特開平９−１８５０３２号公報
【特許文献２】特開平１０−２０６８２２号公報
【発明の開示】
【発明が解決しようとする課題】
【００１１】
しかしながら前述した従来技術の構成では、転移期間５において転移電圧印加器９７によってＯＣＢ液晶表示素子に印加される転移電圧９２が直流電圧であるために、ＯＣＢ液晶表示素子においてイオンが偏在する。このため、ＯＣＢ液晶表示素子によって表示される映像において、焼きつき、ちらつき、フリッカーが発生するおそれがあるという問題がある。
【００１２】
また、電源を連続でオンオフすると、ＯＣＢ液晶表示素子においてイオンがさらに偏在する結果、転移不良が発生するおそれがあるという問題がある。
【００１３】
本発明は係る問題を解決するためになされたものであり、その目的は、ＯＣＢ液晶表示素子によって表示される映像の品質を向上させることができる液晶表示装置を提供することにある。
【課題を解決するための手段】
【００１４】
係る目的を達成するために本発明に係る液晶表示装置は、映像を表示するために設けられたＯＣＢ（Ｏｐｔｉｃａｌｌｙ  Ｃｏｍｐｅｎｓａｔｅｄ  Ｂｅｎｄ）液晶と、前記ＯＣＢ液晶表示素子の配向状態をスプレイ配向状態からベンド配向状態へ転移させるための転移電圧を前記ＯＣＢ液晶表示素子に印加するために設けられた転移電圧印加手段を具備しており、前記転移電圧印加手段は、所定の第１転移期間と前記第１転移期間に後続する第２転移期間とにおいて前記転移電圧を印加し、前記ＯＣＢ液晶表示素子は、前記第１転移期間と前記第２転移期間との間の第１映像表示期間と前記第２転移期間に後続する第２映像表示期間とにおいて前記映像を表示し、前記転移電圧印加手段によって印加される前記転移電圧は、第１極性を有する直流の第１極性直流電圧と前記第１極性とは逆の第２極性を有する直流の第２極性直流電圧とを含んでおり、前記転移電圧印加手段は、前記第１転移期間においては前記第１極性直流電圧を前記ＯＣＢ液晶表示素子に印加し、前記第２転移期間においては前記第２極性直流電圧を前記ＯＣＢ液晶表示素子に印加することを特徴とする。
【発明の効果】
【００１５】
本発明によれば、ＯＣＢ液晶表示素子によって表示される映像の品質を向上させることができる液晶表示装置を提供することができる。
【発明を実施するための最良の形態】
【００１６】
本実施の形態に係る液晶表示装置においては、第１極性を有する直流の第１極性直流電圧が第１転移期間においてＯＣＢ液晶表示素子に印加され、第２転移期間においては第１極性とは逆の第２極性を有する直流の第２極性直流電圧がＯＣＢ液晶表示素子に印加される。すなわち、電源を投入するたびに、転移電圧の極性を変えることが特徴である。ここで転移電圧の極性とは、液晶層に印加される電圧の極性のことである。
【００１７】
このため、転移性に優れる直流電圧を印加してもＯＣＢ液晶表示素子においてイオンが偏在することが少ない。連続して電源の投入を行ったとしても、累積してＤＣが印加されるものではない。交互に逆極性の電圧が印加されるために、前回のＤＣの印加によって偏在したイオンが、次回の転移波形では逆極性なので緩和される。その結果、フリッカが発生せず、かつ転移性に優れた液晶表示装置を提供することができる。
【００１８】
前記ＯＣＢ液晶表示素子へ信号電圧を印加するために設けられた画素電極と、前記ＯＣＢ液晶表示素子を挟んで前記画素電極と対向するように設けられた対向電極とをさらに具備しており、前記転移電圧印加手段は、前記対向電極へ前記転移電圧を印加することが好ましい。これは、画素電極の形成されたアクティブマトリクス素子は、高電圧に耐えにくいため、対向電極に電圧を印加することが素子の構成上望ましい。
【００１９】
前記第１極性直流電圧の絶対値および前記第２極性直流電圧の絶対値は、１５ボルトから３０ボルトが望ましい。本実施例では約２５ボルトとした。
【００２０】
前記第１および前記第２転移期間において前記第１および前記第２極性直流電圧を前記転移電圧印加手段がそれぞれ印加する時間は、約０．３秒以上約２秒以下であることが好ましい。
【００２１】
前記第１および前記第２転移期間において前記第１および前記第２極性直流電圧を前記転移電圧印加手段がそれぞれ印加する時間は、約０．５秒であることが好ましい。
【００２２】
前記ＯＣＢ液晶表示素子に印加する前記転移電圧の極性を記憶する転移電圧極性記憶手段をさらに具備することが好ましい。
【００２３】
前記転移電圧印加手段は、前記第１転移期間の前に配置された第１リセット期間と前記停止期間の後であって前記第２転移期間の前に配置された第２リセット期間とにおいて前記ＯＣＢ液晶表示素子の配向状態をリセットするためのリセット電圧を印加することが好ましい。各転移電圧を印加する直前には、液晶層に電圧を印加しないリセット期間を設けることが望ましい。
【００２４】
前記リセット電圧は、液晶層に印加される電圧が、実質的に零ボルトであることが好ましい。
【００２５】
前記転移電圧印加手段が前記第１リセット期間と前記第２リセット期間とにおいて前記リセット電圧をそれぞれ印加する時間は、約０．４秒であることが好ましい。
【００２６】
従来例では、複数回の電源投入、起動によって起こるＤＣの蓄積、ＤＣによるイオンの偏在による弊害があった。これを本発明では、交互に転移波形の極性を切り替えることで、このＤＣ印加によるイオンの蓄積を緩和させるものである。しかし、前述した発明だけでは、転移波形を印加した直後のフリッカーを完全に除去することはできない。これは、一回の転移波形でもイオンは偏在し、これによってフリッカーが発生する。そこで、本発明ではこのフリッカーを補正する機構を追加させた。
【００２７】
前記映像におけるフリッカーを補正するためのフリッカー補正電圧を前記ＯＣＢ液晶表示素子に印加するために設けられたフリッカー補正手段をさらに具備しており、前記フリッカー補正手段は、前記第１映像表示期間において前記第１極性直流電圧とは逆の特性を有するフリッカー補正電圧を印加し、前記第２映像表示期間において前記第２極性直流電圧とは逆の特性を有するフリッカー補正電圧を印加することが好ましい。
【００２８】
前記ＯＣＢ液晶表示素子へ信号電圧を印加するために設けられた画素電極と、前記ＯＣＢ液晶表示素子を挟んで前記画素電極と対向するように設けられた対向電極とをさらに具備しており、前記フリッカー補正手段は、前記対向電極に前記フリッカー補正電圧を印加することが好ましい。
【００２９】
前記フリッカー補正手段によって印加される前記フリッカー補正電圧の絶対値は、前記転移電圧印加手段によって印加される前記転移電圧の絶対値よりも十分小さくなっていることが好ましい。
【００３０】
前記フリッカー補正手段によって印加される前記フリッカー補正電圧の絶対値は、１ボルト以下になっていることが好ましい。
【００３１】
前記フリッカー補正手段によって印加される前記フリッカー補正電圧の絶対値は、０．５ボルト以下になっていることが好ましい。
【００３２】
前記フリッカー補正手段が前記フリッカー補正電圧を印加する時間は、１０秒以上になっていることが好ましい。
【００３３】
前記フリッカー補正手段によって印加される前記フリッカー補正電圧の絶対値は、時間の経過に従って減少するようになっていることが好ましい。
【００３４】
以下、本発明の実施の形態を図面を参照して説明する。
【００３５】
図１は本実施の形態に係る液晶表示装置１００の構成を示すブロック図であり、図２は液晶表示装置１００に設けられたＬＣＤパネル４１の構成を示す模式平面図であり、図３はＬＣＤパネル４１に設けられたＯＣＢ液晶表示素子６の配向状態を説明するための模式断面図である。
【００３６】
液晶表示装置１００は、ＬＣＤパネル４１を備えている。ＬＣＤパネル４１には、映像を表示するために設けられたＯＣＢ液晶表示素子６がマトリックス状の画素として形成されている。
【００３７】
ＬＣＤパネル４１は、各ＯＣＢ液晶表示素子６へ信号電圧を印加するためにそれぞれ設けられた画素電極１５と、各画素の液晶６を挟んで画素電極１５と対向するようにそれぞれ設けられた対向電極１６とを有している。
【００３８】
ＬＣＤパネル４１には、ソース信号を供給するためのソース線２６が列方向に沿って配置された画素電極１５に沿って互いに所定の間隔を空けてそれぞれ設けられており、行方向に沿って配置された画素電極１５に沿ってゲート線２９が互いに所定の間隔を空けてそれぞれ設けられている。
【００３９】
各画素電極１５とソース線２６との間には、薄膜トランジスタ（ＴＦＴ）２７がそれぞれ設けられている。各ＴＦＴ２７は、ゲート線２９に接続されたゲート２８と、ソース線２６に接続されたソースと画素電極１５に接続されたドレインとをそれぞれ有している。各ＴＦＴ２７に設けられたドレインは、容量Ｃｌｃを介して対向電極に回路的に接続されており、また各画素には補助容量Ｃｓｔを接続し、その一端をＣｓｔ線にそれぞれ接続されている。
【００４０】
ＯＣＢ液晶表示素子６によって映像を表示するためには、図３に示すように、ＯＣＢ液晶表示素子６の配向状態をスプレイ配向状態からベンド配向状態へ転移させる必要がある。
【００４１】
液晶表示装置１００は、ＬＣＤパネル４１に配置されたＯＣＢ液晶表示素子６を駆動するために設けられたソースドライバ３８、ゲートドライバ３９および対向電圧印加手段４０を備えている。
【００４２】
液晶表示装置１００はまた、コントローラ３７を備えている。コントローラ３７によって、転移電圧印加器１などが制御される。転移電圧印加器１は、ＯＣＢ液晶表示素子６の配向状態をスプレイ配向状態からベンド配向状態へ転移させるための転移電圧を、対向電圧印加手段４０を介してＯＣＢ液晶表示素子６に印加し、ソースドライバ３８、ゲートドライバ３９にも、所定の波形を印加させる。
【００４３】
液晶表示装置１００には、転移電圧極性記憶回路１７が設けられている。転移電圧極性記憶回路１７は、転移電圧印加器１によってＯＣＢ液晶表示素子６に印加される転移電圧の極性を記憶する。転移電圧極性記憶回路１７は、例えば、ＥＰ−ＲＯＭによって構成されている。転移動作が終了した際に、ＥＰ−ＲＯＭに書き込みを行い、本実施例では正極性で行った場合には、特定ｂｉｔに１を書き込み、ｍ負極性の場合には０を書き込んだ。
【００４４】
次回の電源投入において、転移を行う際には、まずこのＥＰ−ＲＯＭの信号を読み、この極性に応じて前回の極性の逆符号の転移波形で転移を行った。
【００４５】
液晶表示装置１００は、フリッカー補正回路２１を備えている。フリッカー補正回路２１は、ＯＣＢ液晶表示素子６によって表示される映像におけるフリッカーを補正するためのフリッカー補正電圧をＯＣＢ液晶表示素子６に印加するために設けられている。
【００４６】
液晶表示装置１００には、電源７が設けられている。電源７は、転移電圧印加器１、転移電圧極性記憶回路１７およびフリッカー補正回路２１へ電圧を供給する。
【００４７】
図４は、本実施の形態に係る液晶表示装置の動作を説明するための波形図である。まず、電源７がオンになると、転移電圧印加器１は、リセット期間１８において、ＯＣＢ液晶表示素子６をリセットするためのリセット電圧２０を印加する。リセット電圧２０は、実質的に零ボルトである。転移電圧印加器１がリセット期間１８とリセット期間１９とにおいてリセット電圧２０をそれぞれ印加する時間は、約０．４秒である。
【００４８】
そして、転移電圧印加器１は転移期間４の間、ＯＣＢ液晶表示素子６の配向状態をスプレイ配向状態からベンド配向状態へ転移させるための転移電圧として正の極性を有する正極性直流電圧２を、対向電圧印加手段４０および対向電極１６を介してＯＣＢ液晶表示素子１５に印加する。正極性直流電圧２の液晶層に印加される電圧の絶対値は、約２５ボルトである。正極性直流電圧２が印加される転移期間４は、約０．３秒以上約２秒以下である。転移期間４は、約０．５秒であることが好ましい。転移電圧印加器１によってＯＣＢ液晶表示素子１５に印加された正極性直流電圧２の極性は、転移電圧極性記憶回路１７に格納される。
【００４９】
そして、ＯＣＢ液晶表示素子６は、転移期間４に後続する映像表示期間８の間、コントローラ３７が映像信号と同期信号とに基づいてソースドライバ３８、ゲートドライバ３９および対向電圧印加手段４０を介してＯＣＢ液晶表示素子６へ印加する電圧に基づいて映像を表示する。
【００５０】
次に、電源７がオフとなったとする。次に本液晶表示装置を使用すべく再度電源を投入したとする。電源７が再びオンになると、転移電圧印加器１は、リセット期間１９においてリセット電圧２０を印加する。そして、転移電圧印加器１は転移期間５の間、転移電圧極性記憶回路１７に格納された正極性直流電圧２の極性に基づいて、転移電圧として、正の極性とは逆の負の極性を有する負極性直流電圧３を、対向電圧印加手段４０および対向電極１６を介してＯＣＢ液晶表示素子６に印加する。負極性直流電圧３の絶対値は、約２５ボルトである。負極性直流電圧３が印加される転移期間５は、約０．３秒以上約２秒以下である。転移期間５は、約０．５秒であることが好ましい。転移電圧極性記憶回路１７は、正極性直流電圧２の極性の替わりに、転移電圧印加器１によってＯＣＢ液晶表示素子１５に印加された負極性直流電圧３の極性を格納する。
【００５１】
そして、ＯＣＢ液晶表示素子６は、転移期間５に後続する映像表示期間９の間、コントローラ３７が映像信号と同期信号とに基づいてソースドライバ３８、ゲートドライバ３９および対向電圧印加手段４０を介してＯＣＢ液晶表示素子６へ印加する電圧に基づいて映像を表示する。
【００５２】
このように、転移電圧印加器１は、転移期間４と転移期間４に後続する転移期間５とにおいて転移電圧を印加し、ＯＣＢ液晶表示素子６は、転移期間４と転移期間５との間の映像表示期間８と転移期間５に後続する映像表示期間９とにおいて映像を表示する。電源７は、転移期間４と映像表示期間８と転移期間５と映像表示期間９とにおいてオンになっており、映像表示期間８の後であって転移期間５の前における停止期間１０においてオフになっている。転移電圧印加器１によって印加される転移電圧は、正の極性を有する直流の正極性直流電圧２と正の極性とは逆の負の極性を有する直流の負極性直流電圧３とを含んでおり、転移電圧印加器１は、転移期間４においては正極性直流電圧２をＯＣＢ液晶表示素子６に印加し、転移期間５においては負極性直流電圧３をＯＣＢ液晶表示素子６に印加する。
【００５３】
図５は、本実施の形態に係る液晶表示装置１００に設けられたＯＣＢ液晶表示素子６の転移核を説明するための平面図である。本実施の形態において各映像表示期間８および９の前にそれぞれ配置された転移期間４および５においてＯＣＢ液晶表示素子６に印加される転移電圧は、直流電圧になっている。このため、ソース線２６を挟んで隣接して配置された画素電極１５の間において転移核の成長が促進される。その結果、ＯＣＢ液晶表示素子６の配向状態がスプレイ配向状態からベンド配向状態へ転移する転移性を向上させることができる。
【００５４】
以上のように本実施の形態によれば、正の極性を有する直流の正極性直流電圧２が転移期間４においてＯＣＢ液晶表示素子６に印加され、転移期間５においては正の極性とは逆の負の極性を有する直流の負極性直流電圧３がＯＣＢ液晶表示素子６に印加される。このため、転移性に優れる直流電圧を印加してもＯＣＢ液晶表示素子６においてイオンが偏在することがない。その結果、フリッカが少なく、かつ転移性に優れた液晶表示装置を提供することができる。
【００５５】
本実施の形態においては転移電圧極性記憶回路１７に格納された転移電圧の極性に基づいて、転移電圧の極性を交互に変更する例を示したが、本発明はこれに限定されない。例えば、乱数発生器によって発生する乱数に基づいて、正の極性および負の極性が出現する確率がそれぞれ５０％になるように、ＯＣＢ液晶表示素子６に印加する転移電圧の極性を選択するようにしてもよい。この際にはＥＰ−ＲＯＭは不必要になる。
【００５６】
また、本実施の形態においてはリセット期間においてリセット電圧を印加する例を示したが、本発明はこれに限定されない。リセット電圧を印加するためのリセット期間は設けなくてもよい。
【００５７】
図６は、本実施の形態に係る液晶表示装置１００の他の動作を説明するための波形図である。図４を参照して前述した液晶表示装置１００の動作を説明するための波形図の構成要素と同一の構成要素には同一の参照符号を付している。従って、これらの構成要素の詳細な説明は省略する。
【００５８】
フリッカー補正回路２１は、映像表示期間８の先頭に配置されたフリッカー補正期間２３において正極性直流電圧２の極性とは逆の負の極性を有するフリッカー補正電圧２２を、対向電圧印加手段４０を介して対向電極１６へ印加する。フリッカー補正期間２３の長さは、１０秒以上４０秒以下になっている。
【００５９】
フリッカー補正電圧２２の絶対値は、時間の経過に従って減少するようになっており、転移期間４において転移電圧印加器１によって対向電極１６へ印加される転移電圧の絶対値よりも十分小さくなっている。具体的には、フリッカー補正電圧２２の絶対値は１ボルト以下になっており、好ましくは０．５ボルト以下になっている。
【００６０】
本実施の形態において、ＯＣＢ液晶表示素子のスプレイ配向状態とベンド配向状態とが等エネルギーになる電圧は、約１．６ボルトである。このため、ＯＣＢ液晶表示素子へ印加する電圧が約１．６ボルトよりも小さいと、原理的に転移は発生しない。
【産業上の利用可能性】
【００６１】
本発明は、本発明は、ＯＣＢ液晶表示素子によって映像を表示する液晶表示装置に適用することができる。
【図面の簡単な説明】
【００６２】
【図１】本実施の形態に係る液晶表示装置の構成を示すブロック図
【図２】本実施の形態に係る液晶表示装置に設けられたＬＣＤパネルの構成を説明するための模式平面図
【図３】本実施の形態に係る液晶表示装置のＬＣＤパネルに設けられたＯＣＢ液晶表示素子の配向状態を説明するための模式断面図
【図４】本実施の形態に係る液晶表示装置の動作を説明するための波形図
【図５】本実施の形態に係る液晶表示装置に設けられたＯＣＢ液晶表示素子の転移核を説明するための平面図
【図６】本実施の形態に係る液晶表示装置の他の動作を説明するための波形図
【図７】従来の液晶表示装置の構成を示すブロック図
【図８】従来の液晶表示装置のＬＣＤパネルに設けられたＯＣＢ液晶表示素子の配向状態を説明するための模式断面図
【図９】従来の液晶表示装置の動作を示す波形図
【符号の説明】
【００６３】
１  転移電圧印加器
２  正極性直流電圧
３  負極性直流電圧
４、５  転移期間
６  ＯＣＢ液晶表示素子
７  電源
８  映像表示期間
９  映像表示期間
１０  停止期間
１５  画素電極
１６  対向電極
１７  転移電圧極性記憶回路
１８  リセット期間
１９  リセット期間
２０  リセット電圧
２１  フリッカー補正回路
２２  フリッカー補正電圧
２３  フリッカー補正期間
【図１】
2005234375.tif 000003
【図２】
2005234375.tif 000004
【図３】
2005234375.tif 000005
【図４】
2005234375.tif 000006
【図５】
2005234375.tif 000007
【図６】
2005234375.tif 000008
【図７】
2005234375.tif 000009
【図８】
2005234375.tif 000010
【図９】
2005234375.tif 000011